【手続補正書】
【提出日】平成23年5月23日(2011.5.23)
【手続補正１】
【補正対象書類名】特許請求の範囲
【補正対象項目名】全文
【補正方法】変更
【補正の内容】
【特許請求の範囲】
【請求項１】
ボイスオーバーインターネットプロトコル（ＶｏＩＰ）通信の属性に基づいて、１つ又はそれ以上の個別広告を表示する処理において、
上記処理は、
（ｉ）ＶｏＩＰクライアント装置と関連するクライアント識別子を受信するステップと、
（ｉｉ）データベースを検索して、上記クライアント識別子に関連したＶｏＩＰ通信関連イベントの複数の属性を決定する１つ又はそれ以上のパラメータに対応する第１の広告のグループを識別するステップと、
（ｉｉｉ）第２の広告のグループを検索するステップと、
（ｉｖ）第３の広告のグループを遠隔装置に送信するステップとを備え、
上記第２の広告のグループは、上記第１の広告のグループから選択され、
上記第３の広告のグループは、上記第２の広告のグループから選択され、上記遠隔装置は、上記第３の広告のグループから選択された上記１つ又はそれ以上の個別広告を表示する処理。
【請求項２】
上記ＶｏＩＰクライアント装置は、ＵＳＢ装置、及びコンピュータのうちの少なくとも１つを備えた請求項１記載の処理。
【請求項３】
上記ＶｏＩＰクライアント装置は、上記遠隔装置を備えた請求項１記載の処理。
【請求項４】
上記遠隔装置は、上記ＶｏＩＰクライアント装置を備えた請求項１記載の処理。
【請求項５】
上記受信するステップは、コンピュータから上記ＶｏＩＰクライアント識別子を受信することを含む請求項１記載の処理。
【請求項６】
上記データベースは、トランザクションサーバに格納される請求項１記載の処理。
【請求項７】
上記送信するステップは、第３の広告のグループを遠隔装置に上記ＶｏＩＰクライアント装置を介して送信することを含む請求項１記載の処理。
【請求項８】
上記遠隔装置は、クライアント装置、ＵＳＢ装置、ＤＥＣＴ電話機、携帯電話機、及びコンピュータのうちの少なくとも１つを備えた請求項１記載の処理。
【請求項９】
上記遠隔装置は、ビデオ画面及びテレビジョンのうちの少なくとも１つに接続されたセットトップボックスを備えた請求項１記載の処理。
【請求項１０】
上記セットトップボックスは、サテライトボックス及びケーブルボックスのうちの少なくとも１つを備えた請求項９記載の処理。
【請求項１１】
上記クライアント識別子に関連したロケーション識別情報を取得するステップをさらに備えた請求項１記載の処理。
【請求項１２】
上記ロケーション識別情報は、インターネットプロトコルアドレス、郵便番号、州、市町村、ストリートアドレス、緯度座標及び経度座標、グローバルポジショニングシステム座標、及びある市場特性に基づいてエリアを定める情報のうちの少なくとも１つを備えた請求項１１記載の処理。
【請求項１３】
上記ロケーション識別情報は、上記ロケーション識別情報が取得されたときに上記ＶｏＩＰクライアント装置が位置するロケーションを識別する情報である請求項１２記載の処理。
【請求項１４】
上記ロケーション識別情報は、上記ＶｏＩＰクライアント装置に登録されたロケーション識別情報である請求項１２記載の処理。
【請求項１５】
上記クライアント識別子に関連した人口学的な情報を検索するステップをさらに備えた請求項１記載の処理。
【請求項１６】
上記人口学的な情報は、人の年齢、人の雇用状況、人の性別、人の所得、人の結婚歴、及び人に関連したロケーション識別情報のうちの少なくとも１つを備えた請求項１５記載の処理。
【請求項１７】
データベースを検索して、ＶｏＩＰ通信関連イベントの複数の属性を決定する１つ又はそれ以上のパラメータと、上記クライアント識別子に関連した人口学的な情報とに対応する第１の広告のグループを識別することをさらに備えた請求項１５記載の処理。
【請求項１８】
上記第２の広告のグループは、上記クライアント識別子に関連した上記人口学的な情報に基づいて、上記第１の広告のグループから選択される請求項１５記載の処理。
【請求項１９】
上記第３の広告のグループは、上記クライアント識別子に関連した上記人口学的な情報に基づいて、上記第２の広告のグループから選択される請求項１５記載の処理。
【請求項２０】
上記１つ又はそれ以上の個別広告は、上記クライアント識別子に関連した上記人口学的な情報に基づいて、上記第３の広告のグループから選択される請求項１５記載の処理。
【請求項２１】
上記ＶｏＩＰ通信関連イベントは、ＶｏＩＰ接続の確立、電話番号を連絡先リストに入力すること、電話番号をＶｏＩＰ装置に入力すること、及びＶｏＩＰ接続の確立を見込んで電話番号をＶｏＩＰ装置に入力することのうちの少なくとも１つを備えた請求項１記載の処理。
【請求項２２】
上記クライアント識別子は、顧客識別子、上記ＶｏＩＰクライアント装置に関連したシリアルナンバー、パスワード、顧客の電話番号、インターネットプロトコルアドレス、及び媒体アクセス制御アドレスのうちの少なくとも１つを備えた請求項１記載の処理。
【請求項２３】
上記第１の広告のグループは、上記クライアント識別子に関連したＶｏＩＰ通信関連イベントの複数の属性を決定する１つ又はそれ以上のパラメータに対応する上記１つ又はそれ以上の個別広告のすべてを備えた請求項１記載の処理。
【請求項２４】
上記第２の広告のグループは、上記クライアント識別子に関連したＶｏＩＰ通信関連イベントの複数の属性を決定する１つ又はそれ以上のパラメータに対応する上記１つ又はそれ以上の個別広告のすべてを備えた請求項１記載の処理。
【請求項２５】
上記第３の広告のグループは、上記クライアント識別子に関連したＶｏＩＰ通信関連イベントの複数の属性を決定する１つ又はそれ以上のパラメータに対応する上記１つ又はそれ以上の個別広告のすべてを備えた請求項１記載の処理。
【請求項２６】
上記第２の広告のグループは、上記第１の広告のグループと同一の１つ又はそれ以上の個別広告を備えた請求項１記載の処理。
【請求項２７】
上記第３の広告のグループは、上記第２の広告のグループと同一の１つ又はそれ以上の個別広告を備えた請求項１記載の処理。
【請求項２８】
上記第３の広告のグループは、上記第１の広告のグループと同一の１つ又はそれ以上の個別広告を備えた請求項１記載の処理。
【請求項２９】
上記第１の広告のグループは、１つの広告を備えた請求項１記載の処理。
【請求項３０】
上記第２の広告のグループは、１つの広告を備えた請求項１記載の処理。
【請求項３１】
上記第３の広告のグループは、１つの広告を備えた請求項１記載の処理。
【請求項３２】
上記データベースのデータは、メモリに記憶される請求項１記載の処理。
【請求項３３】
上記クライアント識別子が権限を与えられたクライアント識別子であるかを決定するステップをさらに備えた請求項１記載の処理。
【請求項３４】
上記データベースは、リレーショナルデータベースである請求項１記載の処理。
【請求項３５】
上記複数の属性は、顧客に関する専属的ネットワーク情報、市外局番、電話番号、市内局番又は電話局、１つ又はそれ以上のビジネスのカテゴリ、ビジネスの名前、郵便番号、州、市町村、緯度座標及び経度座標、グローバルポジショニングシステム座標、及びある市場特性に基づいてエリアを定める情報のうちの少なくとも１つを備えた請求項１記載の処理。
【請求項３６】
上記市外局番は、ダイアルされた市外局番である請求項３５記載の処理。
【請求項３７】
上記電話番号は、ダイアルされた電話番号である請求項３５記載の処理。
【請求項３８】
上記市内局番又は電話局は、ダイアルされた市内局番である請求項３５記載の処理。
【請求項３９】
（ｖ）上記ＶｏＩＰ通信関連イベントに関係した情報を第三者にネットワークを介して伝送して、広告の選択を促進するステップをさらに備えた請求項１記載の処理。
【請求項４０】
上記第三者は、ケーブルテレビジョンのプロバイダである請求項３９記載の処理。
【請求項４１】
上記第三者は、衛星テレビジョンのプロバイダである請求項３９記載の処理。
【請求項４２】
上記第三者は、第三者のディスプレイである請求項３９記載の処理。
【請求項４３】
ボイスオーバーインターネットプロトコル（ＶｏＩＰ）通信の属性に基づいて、１つ又はそれ以上の個別広告を表示する方法を実行する記憶されたコンピュータ実行可能な命令を有するコンピュータ読み取り可能な媒体において、
上記方法は、
（ｉ）ＶｏＩＰクライアント装置と関連するクライアント識別子を受信するステップと、
（ｉｉ）データベースを検索して、上記クライアント識別子に関連したＶｏＩＰ通信関連イベントの複数の属性を決定する１つ又はそれ以上のパラメータに対応する第１の広告のグループを識別するステップと、
（ｉｉｉ）第２の広告のグループを検索するステップと、
（ｉｖ）第３の広告のグループを遠隔装置に送信するステップとを備え、
上記第２の広告のグループは、上記第１の広告のグループから選択され、
上記第３の広告のグループは、上記第２の広告のグループから選択され、上記遠隔装置は、上記第３の広告のグループから選択された上記１つ又はそれ以上の個別広告を表示するコンピュータ読み取り可能な媒体。
【請求項４４】
ボイスオーバーインターネットプロトコル（ＶｏＩＰ）通信の属性に基づいて、表示する１つ又はそれ以上の個別広告を受信することができる第１の装置において、
上記第１の装置は、
ＶｏＩＰクライアント装置と関連するクライアント識別子を、上記クライアント識別子に関連したＶｏＩＰ通信関連イベントの複数の属性を決定する１つ又はそれ以上のパラメータに対応する複数の広告を識別するサーバに伝送することを制御するように構成されたプロセッサ構成要素を備え、
上記プロセッサ構成要素は、第１の広告のグループを受信し、かつ第２の広告のグループを表示装置に送信し、
上記第２の広告のグループは、上記第１の広告のグループから選択される第１の装置。
【請求項４５】
ボイスオーバーインターネットプロトコル（ＶｏＩＰ）通信の属性に基づいて、１つ又はそれ以上の個別広告を表示する１つ又はそれ以上の個別広告を表示するシステムにおいて、
上記システムは、
複数の広告の貯蔵を含むデータベースと、
メモリを有するプロセッサベースの装置とを備え、
上記メモリは、上記データベースのデータを記憶し、
上記プロセッサベースの装置は、
上記データベースの検索を実行して、ＶｏＩＰクライアント装置と関連するクライアント識別子に関連したＶｏＩＰ通信関連イベントの複数の属性を決定する１つ又はそれ以上のパラメータに対応する第１の広告のグループを識別し、
上記データベースから第２の広告のグループを検索し、
その後、第３の広告のグループを遠隔装置に送信するように構成され、
上記第２の広告のグループは、上記第１の広告のグループから選択され、
上記第３の広告のグループは、上記第２の広告のグループから選択され、上記遠隔装置は、上記第２の広告のグループから選択された上記１つ又はそれ以上の個別広告を表示する１つ又はそれ以上の個別広告を表示するシステム。